【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
フレームを符号化する方法であって、
−  バックライトフレームを前記フレームから決定することと、
−  前記フレームおよび前記バックライトフレームに対応する残差フレームを算出することと、
−  前記残差フレームを、インポーズされるフレーム（ＩＭＦ）から算出される前記残差フレームの予測子を使用して予測符号化することであって、前記インポーズされるフレームは、符号化される前記フレームの低ダイナミックバージョンである、前記予測符号化することと、
を含むことを特徴とする、前記方法。
【請求項２】
前記インポーズされるフレーム、および、符号化される前記フレームは、異なってカラーグレーディングを有する、請求項１に記載の方法。
【請求項３】
前記インポーズされるフレーム、および、符号化される前記フレームは、異なる色空間で表現される、請求項１に記載の方法。
【請求項４】
前記残差フレームの前記予測子は、前記インポーズされるフレームの復号されたバージョンから算出される、請求項１〜３のいずれか一項に記載の方法。
【請求項５】
前記残差フレームの前記予測子を算出することは、カラーマッピング関数を使用することにより、前記インポーズされるフレームの前記復号されたバージョンを前記残差フレームにマッピングすることを含む、請求項１〜４のいずれか一項に記載の方法。
【請求項６】
前記カラーマッピング関数は、３Ｄカラールックアップテーブルを使用する、請求項５に記載の方法。
【請求項７】
前記バックライトフレームは、前記インポーズされるフレームからさらに決定される、請求項１〜６のいずれか一項に記載の方法。
【請求項８】
前記バックライトフレームを決定することは、前記フレームの各々の成分を、前記フレームＩＭＦの成分で除算することを含む、請求項７に記載の方法。
【請求項９】
予測符号化する前に、前記残差フレームをマッピングすることと、前記バックライトフレームを決定する前に、前記インポーズされるフレームの各々の成分を逆マッピングすることと、をさらに含む、請求項１〜８のいずれか一項に記載の方法。
【請求項１０】
前記残差フレームを予測符号化することは、ＳＨＶＣ標準に準拠する、請求項１〜９のいずれか一項に記載の方法。
【請求項１１】
フレームを少なくとも１つのビットストリームから復号する方法であって、
−  バックライトフレームを、ビットストリームを少なくとも部分的に復号することにより取得することと、
−  ビットストリームを少なくとも部分的に復号することにより、復号されるインポーズされるフレームを取得することであって、前記復号されるインポーズされるフレームは、復号される前記フレームの低ダイナミックバージョンである、前記取得することと、
−  予測子
【数１】
2017017684.tif 000001
を、前記復号されるインポーズされるフレームから取得することと、
−  ビットストリームを少なくとも部分的に復号することにより、および、前記復号されるインポーズされるフレームから取得された前記予測子を使用することにより、復号される残差フレームを予測復号することと、
−  前記復号される残差フレーム、および前記復号されるバックライトフレームに対応する前記フレームを復号することと、
を含む、前記方法。
【請求項１２】
−  ３ＤカラーＬＵＴに関するパラメータを、ビットストリームを少なくとも部分的に復号することにより取得することと、
−  前記予測子を、前記復号されるインポーズされるフレーム、および前記取得されたパラメータから取得することと、
をさらに含む、請求項１１に記載の方法。
【請求項１３】
前記予測子は、３ＤカラーＬＵＴの各々の領域に対する特定の予測子
【数２】
2017017684.tif 000002
を含む、請求項１１または１２に記載の方法。
【請求項１４】
復号される残差フレームを予測復号することは、ＳＨＶＣ標準に準拠する、請求項１１〜１３のいずれか一項に記載の方法。
【請求項１５】
フレームを符号化するデバイスであって、
−  バックライトフレームを前記フレームから決定することと、
−  前記フレームおよび前記バックライトフレームに対応する残差フレームを算出することと、
−  前記残差フレームを、インポーズされるフレームから算出された前記残差フレームの予測子を使用して予測符号化することであって、前記インポーズされるフレームは、符号化される前記フレームの低ダイナミックバージョンである、前記予測符号化することと、
を行うように構成されたプロセッサーを備えることを特徴とする、前記デバイス。
【請求項１６】
フレームを少なくとも１つのビットストリームから復号するデバイスであって、
−  バックライトフレームを、ビットストリームを少なくとも部分的に復号することにより取得することと、
−  フレーム、復号されるインポーズされるフレームを、ビットストリームを少なくとも部分的に復号することにより取得することであって、前記復号されるインポーズされるフレームは、復号される前記フレームの低ダイナミックバージョンである、前記取得することと、
−  予測子
【数３】
2017017684.tif 000003
を、前記復号されるインポーズされるフレームから取得することと、
−  復号される残差フレームを、ビットストリームを少なくとも部分的に復号することにより、および、前記復号されるインポーズされるフレームから取得された前記予測子を使用することにより予測復号することと、
−  前記復号される残差フレーム、および前記復号されるバックライトフレームに対応する前記フレームを復号することと、
を行うように構成されたプロセッサーを備えることを特徴とする、前記デバイス。
【請求項１７】
コンピュータプログラム製品であって、このプログラムがコンピュータ上で実行されるときに、請求項１に記載の符号化方法の前記ステップを実行するためのプログラムコードの命令を備える、前記コンピュータプログラム製品。
【請求項１８】
コンピュータプログラム製品であって、このプログラムがコンピュータで実行されるときに、請求項１１に記載の復号方法の前記ステップを実行するためのプログラムコードの命令を備える、前記コンピュータプログラム製品。
【請求項１９】
プロセッサー可読媒体であって、プロセッサーに、請求項１に記載の符号化方法の少なくとも前記ステップを実行させるための命令が記憶される、前記プロセッサー可読媒体。
【請求項２０】
プロセッサー可読媒体であって、プロセッサーが、請求項１１に記載の復号方法の少なくとも前記ステップを実行させるための命令が記憶される、前記プロセッサー可読媒体。
【請求項２１】
プログラムコードの命令を保持する非一時的ストレージ媒体であって、前記プログラムがコンピューティングデバイスで実行されるときに、請求項１〜１４のいずれか一項に記載の方法のステップを実行する、前記非一時的ストレージ媒体。
【手続補正２】
【補正対象書類名】明細書
【補正対象項目名】０３６２
【補正方法】変更
【補正の内容】
【０３６２】
いくつかの実装が説明された。それでも、様々な変更がなされ得ることが理解されよう。例えば異なる実装の要素は、他の実装を生み出すために、組み合わされ、補完され、変更され、または除去され得る。さらに、当業者は、他の構造およびプロセスが、開示されるものの代わりになり得るものであり、結果として生じる実装は、開示される実装と、少なくとも実質的に同じ機能を、少なくとも実質的に同じ方途で実行して、少なくとも実質的に同じ結果を達成することを理解するであろう。したがって、これらおよび他の実装は、本出願により企図されるものである。
［付記１］
フレームを符号化するための方法であって、
−  バックライトフレームを前記フレームから決定する（１０１）ステップと、
−  前記フレームおよび前記バックライトフレームに対応する残差フレームを算出する（１０３）ステップと、
−  前記残差フレームを、インポーズされるフレーム（ＩＭＦ）から算出される（１０９）前記残差フレームの予測子を使用して予測符号化する（１１０）ステップであって、前記インポーズされるフレームは、符号化される前記フレームの低ダイナミックバージョンである、前記予測符号化する（１１０）ステップと、
を含むことを特徴とする、前記方法。
［付記２］
前記インポーズされるフレーム、および、符号化される前記フレームは、異なってカラーグレーディングを有する、付記１に記載の方法。
［付記３］
前記インポーズされるフレーム、および、符号化される前記フレームは、異なる色空間で表現される、付記１に記載の方法。
［付記４］
前記残差フレームの前記予測子は、前記インポーズされるフレームの復号されたバージョンから算出される、付記１〜３のいずれか一に記載の方法。
［付記５］
前記残差フレームの前記予測子を算出するステップは、カラーマッピング関数（ＣＭＦ）を使用することにより、前記インポーズされるフレームの前記復号されたバージョンを前記残差フレームにマッピングするステップを含む、付記１〜４のいずれか一に記載の方法。
［付記６］
前記カラーマッピング関数は、３Ｄカラールックアップテーブルを使用する、付記５に記載の方法。
［付記７］
前記バックライトフレームは、前記インポーズされるフレームからさらに決定される、付記１〜６のいずれか一に記載の方法。
［付記８］
前記バックライトフレームを決定するステップは、前記フレームの各々の成分を、前記フレームＩＭＦの成分で除算するステップを含む、付記７に記載の方法。
［付記９］
予測符号化する（１１０）前に、前記残差フレームをマッピングする（１０６）ステップと、前記バックライトフレームを決定する前に、前記インポーズされるフレームの各々の成分を逆マッピングする（１１３）ステップと、をさらに含む、付記１〜８のいずれか一に記載の方法。
［付記１０］
前記残差フレームを予測符号化する（１１０）ステップは、ＳＨＶＣ標準に準拠する、付記１〜９のいずれか一に記載の方法。
［付記１１］
フレームを少なくとも１つのビットストリームから復号するための方法であって、
−  バックライトフレームを、ビットストリームを少なくとも部分的に復号することにより取得する（１０４、１０５）ステップと、
−  ビットストリームを少なくとも部分的に復号することにより、復号されるインポーズされるフレームを取得する（１１２）ステップであって、前記復号されるインポーズされるフレームは、復号される前記フレームの低ダイナミックバージョンである、前記取得する（１１２）ステップと、
−  予測子
【数１】
2017017684.tif 000004
を、前記復号されるインポーズされるフレームから取得するステップと、
−  ビットストリームを少なくとも部分的に復号することにより、および、前記復号されるインポーズされるフレームから取得された前記予測子を使用することにより、復号される残差フレームを予測復号する（１１０１）ステップと、
−  前記復号される残差フレーム、および前記復号されるバックライトフレームに対応する前記フレームを復号するステップと、
を含む、前記方法。
［付記１２］
−  ３ＤカラーＬＵＴに関するパラメータを、ビットストリームを少なくとも部分的に復号することにより取得するステップと、
−  前記予測子を、前記復号されるインポーズされるフレーム、および前記取得されたパラメータから取得するステップと、
をさらに含む、付記１１に記載の方法。
［付記１３］
前記予測子は、３ＤカラーＬＵＴの各々の領域に対する特定の予測子
【数２】
2017017684.tif 000005
を含む、付記１１または１２に記載の方法。
［付記１４］
復号される残差フレームを予測復号する（１１０１）ステップは、ＳＨＶＣ標準に準拠する、付記１１〜１３のいずれか一に記載の方法。
［付記１５］
フレームを符号化するためのデバイスであって、
−  バックライトフレームを前記フレームから決定することと、
−  前記フレームおよび前記バックライトフレームに対応する残差フレームを算出することと、
−  前記残差フレームを、インポーズされるフレームから算出された前記残差フレームの予測子を使用して予測符号化することであって、前記インポーズされるフレームは、符号化される前記フレームの低ダイナミックバージョンである、前記予測符号化することと、
を行うように構成されたプロセッサーを備えることを特徴とする、前記デバイス。
［付記１６］
フレームを少なくとも１つのビットストリームから復号するためのデバイスであって、
−  バックライトフレームを、ビットストリームを少なくとも部分的に復号することにより取得する（１０４、１０５）ことと、
−  フレーム、復号されるインポーズされるフレームを、ビットストリームを少なくとも部分的に復号することにより取得する（１１２）ことであって、前記復号されるインポーズされるフレームは、復号される前記フレームの低ダイナミックバージョンである、前記取得する（１１２）ことと、
−  予測子
【数３】
2017017684.tif 000006
を、前記復号されるインポーズされるフレームから取得することと、
−  復号される残差フレームを、ビットストリームを少なくとも部分的に復号することにより、および、前記復号されるインポーズされるフレームから取得された前記予測子を使用することにより予測復号する（１１０１）ことと、
−  前記復号される残差フレーム、および前記復号されるバックライトフレームに対応する前記フレームを復号することと、
を行うように構成されたプロセッサーを備えることを特徴とする、前記デバイス。
［付記１７］
コンピュータプログラム製品であって、このプログラムがコンピュータ上で実行されるときに、付記１に記載の符号化方法の前記ステップを実行するためのプログラムコードの命令を備える、前記コンピュータプログラム製品。
［付記１８］
コンピュータプログラム製品であって、このプログラムがコンピュータで実行されるときに、付記１１に記載の復号方法の前記ステップを実行するためのプログラムコードの命令を備える、前記コンピュータプログラム製品。
［付記１９］
プロセッサー可読媒体であって、プロセッサーに、付記１に記載の符号化方法の少なくとも前記ステップを実行させるための命令が記憶される、前記プロセッサー可読媒体。
［付記２０］
プロセッサー可読媒体であって、プロセッサーが、付記１１に記載の復号方法の少なくとも前記ステップを実行させるための命令が記憶される、前記プロセッサー可読媒体。
［付記２１］
プログラムコードの命令を保持する非一時的ストレージ媒体であって、前記プログラムがコンピューティングデバイスで実行されるときに、付記１〜１４のいずれか一に記載の方法のステップを実行する、前記非一時的ストレージ媒体。